(57)【特許請求の範囲】
【請求項１】
内部空間にて空気を洗浄水と接触させて行う洗浄手段と、
前記洗浄水を熱交換器の熱媒体として利用して、洗浄後の空気の温度調節を行う温度調節手段と、
洗浄後の空気の湿度調節手段として用いられるデシカントロータと、
前記デシカントロータで湿度調節が行われた除湿空気を再生用空気として、吸湿したデシカントロータに再生用空気を吹き付けて、再生を行うデシカントロータ再生手段と、
デシカントロータを通気した再生用空気の凝縮水を前記洗浄手段に導く手段と、
を有することを特徴とする空気調和装置。
【請求項２】
前記デシカントロータは、前記洗浄手段の上方に配置され、
前記除湿空気は、再生用空気としてデシカントロータを上方から下方に通気し、前記デシカントロータを通気した再生用空気の凝縮水は前記デシカントロータの下方の前記洗浄手段に導入されることを特徴とする、請求項１に記載の空気調和装置。
【請求項３】
前記洗浄手段の下部には前記洗浄水を貯水する洗浄水貯水槽を有し、
前記洗浄水貯水槽内には、前記洗浄水の水温を調節する貯水槽熱交換器が備えられ、
前記貯水槽熱交換器は、配管により熱源と接続され、
前記熱源は、配管により前記デシカントロータの再生を行うデシカントロータ再生手段を有する再生室と接続され、
前記デシカントロータの再生を行うデシカントロータ再生手段は、前記貯水槽熱交換器の熱源から生じる熱を再生用空気の加熱補助として利用することを特徴とする、請求項１または２に記載の空気調和装置。
【請求項４】
前記デシカントロータを再生するための再生用空気の温度と空気量との調整により、空気の温度が制御されることを特徴とする、請求項１〜３のいずれか１項に記載の空気調和装置。
【請求項５】
前記温度調節手段は、前記湿度調節手段の前段および／または後段に設けられていることを特徴とする、請求項１〜４のいずれか１項に記載の空気調和装置。
【請求項６】
前記温度調節手段は、ペルチェ素子で温度調節を行う手段を有することを特徴とする、請求項１〜５のいずれか１項に記載の空気調和装置。
【発明の詳細な説明】
【技術分野】
【０００１】
本発明は空気調和装置に関する。
【背景技術】
【０００２】
屋内空気の調和を図り、目的に応じた適切な空間を提供するために、空気調和装置が用いられている。屋内空気の調和は、主に屋内外空気の温度調節・湿度調節の他、空気浄化や換気を調節することより行われる。
従来、屋内空気の温度調節と湿度調節を行う装置としては、ヒートポンプや、冷水、温水、蒸気を使用して冷却・除湿あるいは加熱・加湿する装置等がある。また、空気の湿度調節装置として、冷却方式、吸収方式、吸着方式等の装置が挙げられる。近年ではデシカント材を用い、空気の冷却と除湿が行えるデシカント空調システムも報告されている（例えば、特許文献１）。
空気浄化装置としては、フィルタで粉塵を捕捉する集塵フィルタや、ガス状物質を活性炭等の吸着・吸収剤入フィルタを用いて吸着除去を行うフィルタ式空気清浄機がある。しかし、これらのフィルタ式空気清浄機は、集塵フィルタの目詰まりや、吸着・吸収剤入フィルタが飽和状態になることにより、浄化能力が損なわれる。また、外気を取り込むことにより、空気の浄化を図る手段もあるが、取り込む大気の清浄度が問題になる。このような問題に対し、気液接触により空気を洗浄し、屋内空気の浄化と換気を行う空気洗浄器が報告されている（例えば、特許文献２）。
【特許文献１】特開２００２−１２６４４１号公報
【特許文献２】特開平９−２８５７１４号公報
【発明の開示】
【発明が解決しようとする課題】
【０００３】
しかしながら、上述したような装置で広い空間の空気調和を行うとすると、大きな電力等が必要となる。また、上述した装置では温度調節・湿度調節・空気洗浄は、それぞれ独立して機能を発揮し、エネルギ消費の面から効率的ではない。
本発明は、屋内空気・外気の浄化処理と、温度調節とを効率的に行える空気調和装置を目的とする。さらに、湿度調節を効率的に行える、空気調和装置を目的とする。
【課題を解決するための手段】
【０００４】
本発明の空気調和装置は、内部空間にて空気を洗浄水と接触させて行う洗浄手段と、前記洗浄水を熱交換器の熱媒体として利用して、洗浄後の空気の温度調節を行う温度調節手段と、洗浄後の空気の湿度調節手段として用いられるデシカントロータと、前記デシカントロータで湿度調節が行われた除湿空気を再生用空気として、吸湿したデシカントロータに再生用空気を吹き付けて、再生を行うデシカントロータ再生手段と、デシカントロータを通気した再生用空気の凝縮水を前記洗浄手段に導く手段と、を有することを特徴とする。
本発明の空気調和装置は、前記デシカントロータは、前記洗浄手段の上方に配置され、前記除湿空気は、再生用空気としてデシカントロータを上方から下方に通気し、前記デシカントロータを通気した再生用空気の凝縮水は前記デシカントロータの下方の前記洗浄手段に導入されることが好ましい。
また、前記洗浄手段の下部には前記洗浄水を貯水する洗浄水貯水槽を有し、前記洗浄水貯水槽内には、前記洗浄水の水温を調節する貯水槽熱交換器が備えられ、前記貯水槽熱交換器は、配管により熱源と接続され、前記熱源は、配管により前記デシカントロータの再生を行うデシカントロータ再生手段を有する再生室と接続され、前記デシカントロータの再生を行うデシカントロータ再生手段は、前記貯水槽熱交換器の熱源から生じる熱を再生用空気の加熱補助として利用することが好ましく、前記デシカントロータを再生するための再生用空気の温度と空気量との調整により、空気の温度が制御されることが好ましい。
前記温度調節手段は、前記湿度調節手段の前段および／または後段に設けられても良く、前記温度調節手段は、ペルチェ素子で温度調節を行う手段を有しても良い。
【発明の効果】
【０００５】
本発明の空気調和装置によれば、屋内空気・外気の浄化処理と、温度調節とを効率的に行うことができる。さらに、湿度調節を効率的に行うことができる。
【発明を実施するための最良の形態】
【０００６】
本発明の実施形態の一例について、図１と図２を用いて説明する。ただし、本発明は、以下の実施形態に限られるものではない。
図１は本実施例における空気調和装置１０の模式図である。図２は空気調和装置１０におけるデシカントロータ２６を上部から見た図である。なお、説明の便宜上、送風ファン３４の設置されている方向を上方、洗浄水貯水槽１４が設置されている方向を下方として説明する。
空気調和装置１０は、洗浄手段１２と、第１熱交換器２８と、デシカントロータ２６と、第２熱交換器３０とを有している。
洗浄手段１２の下部には洗浄水貯水槽１４が設けられ、該洗浄水貯水槽１４内には洗浄水の水温を調節する貯水槽熱交換器１６が備えられ、洗浄水貯水槽１４の外部には排水バルブ５０が設置されている。洗浄手段１２の側面には吸気口１８が設けられ、吸気口１８は図示されない吸気ダクトと接続されている。洗浄手段１２上部には、散水ノズル２４が備えられている。洗浄水貯水槽１４と散水ノズル２４の間で、吸気口１８よりも上方には、支持体２２と接触層２０が備えられている。
第１熱交換室２７は、散水ノズル２４の設置箇所の上部に隣接して、配置されている。第１熱交換室２７には、接触層２０を通気した空気の温度調節を行う第１熱交換器２８が備えられている。
【０００７】
デシカントロータ２６は、第１熱交換室２７と第２熱交換室２９の間を水平に仕切るように、配置されている。デシカントロータ２６は中心Ｏ（図２）を軸として回転するように、図示されない駆動装置と接続されている。デシカントロータ２６は、その外形が円盤形状を有し、その表面、または内部にデシカント（吸湿材）を有している。
【０００８】
第２熱交換室２９は、デシカントロータ２６の上部に隣接して配置されている。第２熱交換室２９には、第２熱交換器３０が備えられている。第２熱交換器３０の上方には、調和された空気を、送風口３６を経由させて、目的の場所に送風する送風ファン３４が備えられている。また、第２熱交換室２９の上部側面には、送風口３６が設けられ、送風口３６は図示されない屋内ダクトと接続されている。また、第２熱交換室２９には、デシカントロータ２６で湿度調節された空気を、再生室３９に送風する再生室用ファン３８が備えられている。
【０００９】
再生室３９は、再生用ヒータ４０からの再生用空気の風路が、図２における領域αの形状に形成されるように、仕切られている。再生用ヒータ４０の、デシカントロータ２６を挟んだ反対側には、デシカントロータ２６を通気した再生用空気を集めるための受風口４２が配置されている。受風口４２に接続されている導入管４１の下端部は、散水ノズル２４の下方で、かつ接触層２０よりも上方に位置するように配置されている。導入管４１から分岐したバイパス管４３は、再生室３９に接続されている。
【００１０】
水源４６は、洗浄水と熱媒体とになる水の供給源である。この水源４６には、配管４７ａが接続され、前記配管４７ａは、分岐４９ａで配管４７ｂと４７ｃに分岐されている。分岐後、配管４７ｂは、バルブ４８ａ、分岐３１ｄを経由して配管３３ｇに至り、洗浄水貯水槽１４と接続されている。一方の配管４７ｃは、バルブ４８ｂを経由して、分岐４９ｂで配管３３ｂと合流している。
洗浄水貯水槽１４は、配管３３ａにより送液ポンプ３２と接続され、送液ポンプ３２の二次側に接続された配管３３ｂは、分岐４９ｂ、３１ａ、３１ｂを経由した後、第２熱交換器３０と接続されている。一方、配管３３ｂは、分岐３１ａで配管３３ｃに分岐し、分岐した配管３３ｃは、散水ノズル２４に接続されている。また、配管３３ｂは、分岐３１ｂで配管３３ｄに分岐し、分岐した配管３３ｄは、第１熱交換器２８と接続されている。
第２熱交換器３０の熱媒体出口と接続された配管３３ｆは、分岐３１ｄで配管３３ｇと合流している。他方、第１熱交換器２８の出口と接続されている配管３３ｅは、分岐３１ｃで配管３３ｆと合流している。
【００１１】
貯水槽熱交換器１６は、配管４５ａ、４５ｂにより熱源４４と接続されている。一方、熱源４４と接続されている配管４５ｃは、再生室３９と接続されている。再生室３９には、配管４５ｄが備えられ、配管４５ｄは、図示されない排出口と接続されている。
【００１２】
本実施形態の洗浄手段１２は、洗浄水貯水槽１４と、接触層２０と、散水ノズル２４とで構成されている。
接触層２０の構造は特に限定されるものではなく、空気の洗浄が充分に行えるように、洗浄水と空気とが接触できる構造であれば良く、充填塔、棚段塔のいずれの構造であっても良い。この内、充填塔が、単純な構造で装置コストが小さく、かつ圧力損失が小さいために好ましい。
充填塔としては、接触層２０内の充填部材は特に限定されることはなく、ラシヒリング、レッシングリング、ポールリング、サドル、スルザーパッキン等を挙げることができる。
棚段塔としては、例えば多孔板塔等を挙げることができるが、棚段数や、孔の大きさは何ら限定されることはない。
支持体２２は、接触層２０内の充填部材を保持することができれば特に限定されず、例えば樹脂製または金属製のメッシュや、不織布等を挙げることができる。
なお、接触層２０が棚段塔の構造である場合には、支持体２２は設置しなくとも良い。
【００１３】
本実施形態における温度調節手段は、洗浄水貯水槽１４、貯水槽熱交換器１６、熱媒体の温度調節を行う熱源４４と、配管４５ａ、４５ｂ、送液ポンプ３２、第１熱交換室２７、第１熱交換器２８、第２熱交換室２９、第２熱交換器３０、水源４６、配管３３ａ、３３ｂ、３３ｄ、３３ｅ、３３ｆ、３３ｇ、４７ａ、４７ｂ、４７ｃ、バルブ４８ａ、４８ｂで構成されている。
第１熱交換器２８は、特に限定されず、既存の形状の装置を用いることができる。例えば、フィンチューブ型、コイル型等の熱交換器を挙げることができる。第２熱交換器３０、および貯水槽熱交換器１６についても、第１熱交換器２８と同様のものを用いることができる。
【００１４】
熱源４４は、特に限定されるものではなく、ペルチェ素子、ヒートポンプ、蒸気、ヒータ等が挙げられる。この内、小型で温度管理が容易なペルチェ素子を用いることが好ましい。
バルブ４８ａは、特に限定されず、フロートバルブや電磁弁等の既存のものを使用することができる。本実施形態のバルブ４８ａは、洗浄水貯水槽１４の洗浄水の水位低下に伴い、自動的に水源４６から洗浄水貯水槽１４への給水が行える、フロートバルブを用いることが好適である。バルブ４８ａに電磁弁等を用いる場合には、洗浄水貯水槽１４に水位センサ（レベルスイッチ、フロートスイッチ等）を設置し、洗浄水貯水槽１４の水位に応じて、バルブ４８ａを開閉しても良い。また、バルブ４８ａの開閉は、タイマーや、水質センサとの連動によって制御しても良いし、手動で行っても良い。
他方、バルブ４８ｂは、特に限定されず、バルブ４８ａと同様のものを用いることができる。なお、バルブ４８ｂの開閉や開度調整は、洗浄水貯水槽１４や、配管３３ｂに温度センサを設置し、第１熱交換器２８と第２熱交換器３０とに流通させる洗浄水の温度変化と連動して、制御することが好ましい。
【００１５】
本実施形態における湿度調節手段は、デシカントロータ２６とデシカントロータ再生手段とからなる。デシカントロータ再生手段は、再生室用ファン３８と再生室３９と再生用ヒータ４０で構成されている。
デシカントロータ２６は、特に限定されず、例えば、軸方向に通風可能なハニカム構造、またはコルゲート構造の円盤状の構造体に、シリカゲル、ゼオライト等の無機質の吸着型吸湿剤、あるいは有機高分子電解質（イオン交換樹脂）等の吸湿剤、塩化リチウム等の吸収型吸湿剤を１種類、もしくは、複数担持して構成されたものが挙げられる。
【００１６】
本実施形態におけるデシカントロータ２６を通気した再生用空気を洗浄手段１２に導く手段は、受風口４２と導入管４１で構成されている。
受風口４２は特に限定されず、デシカントロータ２６を通気した高湿空気を受け、導入管４１によって高湿空気を送風できるものであれば良い。
【００１７】
空気調和装置１０を用いた空気調和方法について図１を用いて説明する。
洗浄水貯水槽１４への貯水は、バルブ４８ｂと５０が閉じられ、バルブ４８ａが開かれて、洗浄水貯水槽１４が任意の水位となるように、水源４６から洗浄水が供給されて貯水される。洗浄水貯水槽１４では、熱源４４で温度調節された熱媒体が、配管４５ａを経由し貯水槽熱交換器１６を流通された後、配管４５ｂにより熱源４４へ循環されることで、洗浄水は任意の温度に調節される。
ここで、洗浄水を冷却する場合には、熱源４４は、熱媒体から吸熱した熱を廃熱として放熱する。この放熱される廃熱によって加熱された空気は、配管４５ｃを経由して、再生室３９に送られる。反対に、洗浄水を加温する場合には、熱源４４は、大気から吸熱して熱媒体を加温することとなる。この場合には、冷却された空気を図示されない排気口によって熱源４４から排出し、冷却された空気の再生室３９の供給を停止する。
また、洗浄水貯水槽１４の下部に設置されたバルブ５０の開閉により、洗浄水は汚れに応じて適宜排水される。前記排水、あるいは洗浄水の蒸発による水位の低下に応じて、バルブ４８ａは開閉され、洗浄水貯水槽１４内の水位は一定の範囲に維持される。さらに、熱媒体となる洗浄水の温度が、高くなりすぎたり、低くなりすぎたりした場合には、バルブ４８ｂの開閉または開度調整することで、洗浄水の温度が調節される。
【００１８】
送風ファン３４が作動されると、空気調和装置１０内が減圧状態になり、吸気ダクトを介して外気、あるいは屋内空気（以下、単に空気ということがある）は、矢印Ａのように吸気口１８から洗浄手段１２に送られる。また、洗浄水貯水槽１４から、送液ポンプ３２により配管３３ｂに流された洗浄水は、分岐３１ａから配管３３ｃを流通し、散水ノズル２４に至り、散水ノズル２４から接触層２０の上面に対して散水される。散水された洗浄水により、接触層内の充填部材表面や多孔板表面に濡れ面が形成される。
洗浄手段１２に送られた空気は、接触層２０の下方から接触層２０内を矢印Ｂのように上昇する。この間、接触層２０内では、洗浄水と空気とが接触し、空気に含まれていた粉塵や花粉、臭気成分等が洗浄水によって吸収除去される。この時、同時に、空気は、洗浄水の蒸発により加湿されると共に、蒸発潜熱によって熱を奪われて冷却される。
接触層２０を通気して洗浄された空気は、第１熱交換室２７に至り、第１熱交換器２８によって任意の温度に調節される。温度調節された空気は、デシカントロータ２６を通気して、除湿されながら第２熱交換室２９に至り、第２熱交換器３０により温度調節される。そして、調和空気が、送風ファン３４によって、送風口３６に向かって矢印Ｃの方向に送風され、図示されない屋内ダクトを介して、目的の場所へと送風される。
【００１９】
第１熱交換室２７および第２熱交換室２９における熱交換について、さらに詳説する。
貯水槽熱交換器１６によって任意の温度に調節された洗浄水は、送液ポンプ３２によって、配管３３ａから配管３３ｂに流される。前記洗浄水は、分岐３１ｂから分岐した配管３３ｄを経由して、第１熱交換器２８に送られる。第１熱交換器２８に送られた前記洗浄水は、第１熱交換器２８内を流通する間に、第１熱交換室２７内の空気との間で熱交換がされる。熱交換が行われた洗浄水は、配管３３ｅを経由して、分岐３１ｃで配管３３ｆに流入される。一方で、配管３３ｂ内を流通した前記洗浄水は、第２熱交換器３０に送られる。第２熱交換器３０に送られた前記洗浄水は、第２熱交換器３０内を流通する間に、第２熱交換室２９内の空気との間で熱交換がされる。熱交換が行われた洗浄水は、配管３３ｆを流通されて、分岐３１ｃで第１熱交換器２８からの洗浄水と合流して、配管３３ｇによって、洗浄水貯水槽１４に返送される。返送された洗浄水は、再び任意の温度に調節され、散水ノズル２４、あるいは第１熱交換器２８または第２熱交換器３０に送られる。
【００２０】
デシカントロータ２６の動作と再生方法について図１と図２を用いて、さらに詳説する。
図２に示すように、デシカントロータ２６は、矢印Ｄの方向に回転しながら、領域βで表された部分に、第１熱交換室２７で温度調節された空気が通気される。この際、デシカントロータ２６により、空気が除湿される。一方、デシカントロータ２６は回転しているので、吸湿した領域βは順次領域αに移行する。領域αは、再生用ヒータ４０の風路である。デシカントロータ２６を通気して、除湿された空気の一部は、再生室用ファン３８により、第２熱交換室２９から、再生室３９に送風される。再生用ヒータ４０は、再生室用ファン３８で送風された、洗浄済かつ除湿済の空気を加熱して再生用空気とし、領域αに吹き付ける。吹き付けられた再生用空気は、デシカントロータ２６の水分を受けて通気する。デシカントロータ２６を通気した高湿空気は、受風口４２から導入管４１を経由して、散水ノズル２４の下方に送られる。この間、前記高湿空気は、導入管４１の雰囲気温度により冷却され、水分が凝縮される。そして、凝縮された水は導入管４１から落下し、接触層２０を経て洗浄水貯水槽１４に至って貯水される。前記の水分の凝縮により除湿された再生用空気の一部は、再度、第１熱交換室２７で温度調節される。他の一部は導入管４１のバイパス管４３を経由して再生用ヒータ４０の熱源として利用される。
【００２１】
空気調和の対象となる空気は、特に限定されることはなく、外気や屋内空気等である。また、吸気ダクトを介して洗浄装置１２に送られる空気は、１箇所からであっても、２箇所以上から送られても良い。例えば、吸気ダクトの１つは屋外からの吸気を行い、他の吸気ダクトは屋内から吸気を行い、洗浄手段１２内で混合しても良い。
また、調和空気の送風先は、居住空間、オフィス、病院、工場、体育館等、特に限定されず、また、１箇所あるいは２箇所以上であっても良い。
【００２２】
洗浄水は清浄な水であれば特に限定されず、水道水、井水、蒸留水、純水、電解水等を用いることができる。前記純水とは、逆浸透膜装置またはイオン交換装置によって精製された水をいう。また、前記電解水とは、水を電気分解した際に、陽極側に生成される陽極水、および／または、陰極側に生成される陰極水とをいう。
【００２３】
再生用ヒータ４０から供給される再生用空気の風量は特に限定されないが、少なすぎるとデシカントロータ２６の再生が不充分となり、多すぎるとエネルギの浪費となり好ましくない。また、再生用空気の温度も特に限定されないが、低すぎるとデシカントロータ２６の再生が不充分となる。一方、再生用空気の温度が高すぎると、デシカントロータ２６の表面温度が高くなりすぎて、除湿した空気の冷却を第２熱交換器３０で充分に行えず、任意の温度の空気を得ることができないおそれがある。従って、再生用ヒータ４０の風量と温度は、デシカントロータ２６の再生の程度と、湿度調節後の空気の温度のバランスから決定することが好ましい。翻っていえば、デシカントロータ２６を通気した空気の温度調節は、再生用ヒータ４０の出力と、再生用ヒータ４０に再生用空気を供給する再生室用ファン３８の送風量とで制御されることが好ましい。
【００２４】
本実施形態によれば、洗浄水と空気との接触により、空気中の粉塵や花粉、臭気物質等を充分に除去することができる。また、洗浄水と空気との接触による蒸発潜熱により、空気を冷却することができ、少ないエネルギで冷房効果を得ることができる。また、洗浄水貯水槽１４で洗浄水を加温して、加温された洗浄水を熱媒体として第１熱交換器２８と第２熱交換器３０とに流通させることにより、洗浄後の空気を加温して暖房効果を得ることもできる。加えて、洗浄水は第１熱交換器２８、第２熱交換器３０を循環し、洗浄済の空気と熱交換を行った後に、再び洗浄水貯水槽１４に戻る。このため、洗浄水の有効利用ができ、節約が可能となる。熱媒体が水であるため、環境にやさしい配慮がなされている。
【００２５】
湿度調節手段として、デシカントロータ２６を採用することで、エネルギ削減を図ることができる。デシカントロータ２６の回転速度、再生室用ファン３８の送風量、再生用ヒータ４０の出力を調整することにより、通気する空気の除湿の程度を変えて、湿度調節を行うことができる。また、熱源４４の廃熱を再生室３９に供給することで、再生用ヒータ４０による再生用空気の加熱を補助することができる。
温度調節手段がデシカントロータ２６の前段と後段に配置されているため、任意の温度に調節された空気を送風口３６から送風することができる。また、第１熱交換器２８を冷却して用いれば、デシカントロータ２６の除湿効果を補助することができる。
デシカントロータ２６は、水の吸着熱と再生用空気によって温度が高くなっている。このため、除湿された空気は、デシカントロータ２６を通気することで温度が上昇するが、第２熱交換器３０により、最終的に所望する温度へ調節できる。
そして、空気洗浄の手段と、温度調節手段と、湿度調節手段とが、水の蒸発潜熱を中心とした同じ熱源を利用して、効率的な空気調和ができる。
【００２６】
本発明は上述の実施形態に限定されるものではない。
上述の実施形態では、デシカントロータ２６の前段に第１熱交換器２８、後段に第２熱交換器３０が設置されているが、第１熱交換器２８、第２熱交換器３０はどちらか一方だけの設置であっても良い。
また、第１熱交換器２８、第２熱交換器３０は、洗浄水貯水槽１４で温度調節された洗浄水が熱媒体とされているが、外部熱源により温度調節された熱媒体が使用されても良い。外部熱源としては、ペルチェ素子やヒートポンプ、蒸気、ヒータ等を挙げることができ、中でも、小型で温度管理が容易なペルチェ素子を用いることが好ましい。また、洗浄水貯水槽１４の貯水槽熱交換器１６を省き、洗浄水の蒸発潜熱による冷却効果のみを利用することもできる。
【００２７】
上述の実施形態では、洗浄手段１２には、接触層２０が備えられているが、洗浄手段１２は、接触層２０を省き、散水ノズル２４で散水された洗浄水と、空気とを接触させて洗浄を行う、スプレー塔の構造を採用しても良い。
【００２８】
上述の実施形態の湿度調節手段は、デシカントロータ２６が用いられているが、例えば、シート状・粒状の吸湿剤であっても良いし、ヒートポンプを熱源とした熱交換器で空気を冷却し、洗浄後の空気中の水分を凝縮させて取り除く方法であっても良い。エネルギ削減、空気の過冷却防止の面からは、デシカントロータを使用することが好ましい。また、シート状・粒状の吸湿剤を配置する場合には、バッチ式による吸湿剤の再生方法を用いることができる。
【００２９】
また、上述の実施形態では、第２熱交換室２９内の空気を再生用空気として、再生室用ファン３８にて、再生室３９へ送風することとしている。しかし、この他、例えば、送風口３６に接続される屋内ダクトを分岐させ、送風ファン３４から送出される第２熱交換室２９内の空気を、再生用空気として、再生室３９へ供給しても良い。さらに、この他、例えば、送風口３６とは異なる箇所に、別の送風口を設け、送風ファン３４から送出される第２熱交換室２９内の空気を、再生用空気として、再生室３９へ供給しても良い。
さらに、この他、例えば、再生室３９に外気を取り込む吸気ファン等を設置して、外気を再生用空気として再生室３９へ供給することとしても良い。
【００３０】
上述の実施形態の導入管４１の下端部の位置は、散水ノズル２４より下方で、接触槽２０の上方であるが、導入管４１の下端部の位置は、接触層２０内であっても良いし、洗浄水貯水槽１４内であっても良い。また、導入管４１は洗浄手段１２の外部を経由してから、導入管４１の下端部が洗浄手段１２内に挿入されているものであっても良い。
上述の実施形態では洗浄水を循環させているが、洗浄水貯水槽１４を省略して、熱媒体あるいは洗浄水として使用した後は、排水することもできる。
【図面の簡単な説明】
【００３１】
【図１】本発明の空気調和装置の一例を表す模式図である。
【図２】本発明の空気調和装置の一例に使用するデシカントロータの平面図である。
【符号の説明】
【００３２】
１０       空気調和装置
１２       洗浄手段
２０       接触層
２６       デシカントロータ
２８       第１熱交換器
３０       第２熱交換器
３８       再生室用ファン
３９       再生室
４０       再生用ヒータ
４１       導入管
４２       受風口
４４       熱源
【図１】
0004954018.tif 000002
【図２】
0004954018.tif 000003